(57)【要約】【課題】対象物に装着された状態でトルクが作用して回転しても対象物から外れない吊り具を提供する。【解決手段】吊り具１Ａは、ストラップの連結具を取り付け可能な頭部２と、頭部２から延びて、対象物Ｆに挿入される軸状の挿入部３と、挿入部３の軸線方向と交差する外方に向かって突出する非螺旋状の突出部４と、を備えている。【選択図】図２
2016168247.tif 000002
【特許請求の範囲】
【請求項１】
所定の連結具を取り付け可能な頭部と、
前記頭部から延びて、対象物に挿入される軸状の挿入部と、
前記挿入部の軸線方向と交差する外方に向かって突出する非螺旋状の突出部と、を備える吊り具。
【請求項２】
前記突出部は、前記挿入部の挿入方向に向かって先細りとなるように傾斜している請求項１に記載の吊り具。
【請求項３】
前記突出部は、前記挿入部の周方向に延びて環状となるように形成されている、請求項１又は２に記載の吊り具。
【請求項４】
前記連結具は、ストラップに設けられており、前記対象物は、前記ストラップの付属品である請求項１又は２に記載の吊り具。
【発明の詳細な説明】
【技術分野】
【０００１】
本発明は、連結具と対象物とを結合するために使用される吊り具に関する。
【背景技術】
【０００２】
従来から、携帯電話等の携帯型機器に結び付けて使用されフィギュアが付属品として設けられたフィギュア付きのストラップが知られている。このようなフィギュア付きのストラップは、頭部が環状に形成されたヒートン、アイボルト等のねじ式の吊り具をフィギュアに装着し、その吊り具の頭部にストラップの連結具を取り付けることにより製造されていた。
【発明の概要】
【発明が解決しようとする課題】
【０００３】
ねじ式の吊り具は、上述したようにフィギュア等の対象物にねじ込むことによって装着できるため、対象物への装着作業は比較的容易である。しかしながら、対象物に装着された吊り具の頭部に連結具が取り付けられていると、使用状況によっては吊り具を緩める方向のトルクが作用して吊り具が同方向に回転する場合があり、その場合には吊り具が緩んで対象物から外れる可能性がある。
【０００４】
そこで、本発明は、対象物に装着された状態でトルクが作用して回転しても対象物から外れない吊り具を提供することを目的とする。
【課題を解決するための手段】
【０００５】
本発明の吊り具は、所定の連結具を取り付け可能な頭部と、対象物に挿入される軸状の挿入部と、前記挿入部の軸線方向と交差する外方に向かって突出する非螺旋状の突出部と、を備えるものである。
【図面の簡単な説明】
【０００６】
【図１】本発明の一形態に係る吊り具を使用したフィギュア付きストラップの構成を示した図。
【図２】図１の吊り具を示した構成図。
【図３】第２の形態に係る吊り具を示した図。
【図４】第３の形態に係る吊り具を示した図。
【発明を実施するための形態】
【０００７】
（第１の形態）
図１に示したストラップ１００は、携帯電話等の携帯型機器（不図示）に結び付けられて使用される。ストラップ１００は人形等のフィギュアＦが付属品として設けられたフィギュア付きのストラップとして構成され、フィギュアＦが結合された連結具１０１を含んでいる。連結具１０１は携帯型機器に結び付けられる紐部１０２と、紐部１０２をループ状に保持する保持部１０３と、保持部１０３の貫通孔１０３ａに着脱可能な二重リング１０４とを含む。フィギュアＦと連結具１０１とはフィギュアＦに装着された吊り具１Ａを介して結合されている。
【０００８】
図２に示したように、吊り具１Ａは連結具１０１の二重リング１０４（図１）が取り付けられる環状の頭部２と、頭部２から延びて、対象物としてのフィギュアＦに挿入される軸状の挿入部３と、挿入部３に設けられた複数の（本形態では６個の）突出部４とを備えている。なお、挿入部３の先端部３ａに配置された突出部４は他の突出部４よりも軸方向の寸法が大きくなっている。
【０００９】
吊り具１Ａは、突出部４が形成されて一方向に延びた一本の金属材料を素材とし、その素材の一端部を不図示の治具で丸めて図示の形状に加工されている。これにより吊り具１Ａの頭部２及び挿入部３が形成される。なお、環状の頭部２は完全な無端状ではなく一部が分断されているが、先端部２ａを基端部２ｂに接触するように構成することもできる。
【００１０】
挿入部３は、安全性を高めるため、その先端部３ａが鋭利にならないように平坦に形成されている。各突出部４は挿入部３の周方向に一巡するように延びていて、挿入部３の外側、つまり挿入部３の軸線方向と交差する外方に向かって突出している。各突出部４は互いに平行に等間隔で配置されている。各突出部４は対象物に挿入された際に対象物と噛み合う係合面４ａを有しており、その係合面４ａは挿入部３の軸線方向に対して直交する。各突出部４は挿入部３の挿入方向（図の下方）に向かって先細りとなるように傾斜している。これにより、各突出部４には傾斜面４ｂが形成される。
【００１１】
吊り具１Ａを対象物であるフィギュアＦに装着する際には、予めフィギュアＦの所定位置に挿入部３の最外径（突出部４の外径）Ｄよりも小さい内径ｄに調整された下穴Ｘを形成し、挿入部３を下穴Ｘに向けて圧入する。なお、このような圧入を実施するためには、対象物であるフィギュアＦの素材は吊り具１Ａの素材よりも軟らかい材料であることが好ましい。
【００１２】
吊り具１Ａによれば、挿入部３をフィギュアＦに圧入して装着することにより、挿入部３に設けられた各突出部４がフィギュアＦに食い込んで抵抗となるので、突出部が軸方向の抜け止めとして機能する。また、各突出部４は螺旋状ではない。そのため、仮に吊り具１Ａが回転しても軸方向に力が働かずに吊り具１Ａが緩んでフィギュアＦから外れることがない。したがって、図１に示したストラップ１００からフィギュアＦが脱落する不具合の発生を抑制できる。また、突出部４が周方向に環状となっているため、フィギュアＦに圧入された吊り具１Ａが回転を開始する際のトルクが低減する。したがって、吊り具１Ａが回転しやすくなり対象物の破損を抑制できる。さらに、吊り具１Ａの素材として、表面の抵抗が少ないものを採用することによって吊り具１Ａの回転を積極的に許容することもできる。吊り具１Ａの回転を許容することにより、回転が制限されることで吊り具１Ａに過剰な力が働いてフィギュアＦが破損することを回避できる。
【００１３】
また、吊り具１Ａの各突出部４は、挿入部３の挿入方向に向かって先細りとなるように傾斜している。そのため、挿入方向に向かってこのように傾斜していない場合に比べて圧入時の抵抗が緩和されるので、挿入部３をフィギュアＦに圧入しやすくなる。圧入時の抵抗が緩和されるので、フィギュアＦに形成する図２に示した下穴Ｘの内径ｄを小さくしても吊り具１Ａの圧入が可能となる利点がある。
【００１４】
（第２の形態）
次に、図３を参照ながら本発明の第２の形態を説明する。第２の形態は突出部の個数及び配置間隔を除いて第１の形態と共通する。以下、第１の形態と共通する構成には同一の参照符号を図面に付して説明を省略する。図３に示したように、吊り具１Ｂの挿入部３には、３つの突出部４が形成されている。挿入部３の先端部３ａに配置された突出部４は他よりも軸方向の寸法が大きい。また、各突出部４の配置間隔は等間隔であるが第１の形態よりも大きくなっている。吊り具１Ｂによれば、突出部４の個数及び配置間隔を除いて第１の形態と共通するので第１の形態の吊り具１Ａと同様の効果を得ることができる。
【００１５】
（第３の形態）
次に、図４を参照しながら本発明の第３の形態を説明する。以下、第１又は第２の形態と共通する構成には、これらと同一の参照符号を図面に付して説明を省略する。図４に示した吊り具１Ｃは上述した吊り具１Ａ、１Ｂとは製造方法が異なっており、不図示の金型を使用したダイキャスト法により製造されている。吊り具１Ｃの頭部３２は分断のない環状であり、頭部３２の下端には座３５が設けられている。挿入部３に設けられる突出部４の個数及び配置間隔は第２の形態と同じであるが、第１の形態と同じ個数及び配置間隔としてもよい。
【００１６】
吊り具１Ｃは頭部３２及び座３５を除いて第１又は第２の形態と共通するので、吊り具１Ｃは第１又は第２の形態の吊り具１Ａ、１Ｂと同様の効果を得ることができる。また、吊り具１Ｃは、対象物への圧入時に座３５が対象物に突き当たるので、対象物への過剰な埋め込みを回避できる。さらに、対象物への吊り具１Ｃの装着後に下穴Ｘ（図２参照）が座３５にて隠されるので、吊り具１Ｃが対象物へ装着された状態での見栄えが向上する。
【００１７】
本発明は、上記各形態に限定されず、本発明の要旨の範囲内において種々の形態にて実施できる。突出部の個数や複数個の場合の配置間隔は、上記各形態のものと異なっていても構わない。例えば、複数の場合の突出部の配置間隔の一部又は全部が等間隔でない形態で実施することもできる。また、少なくとも一つの突出部を有する形態で実施すれば足りる。
【００１８】
複数の突出部が設けられた形態で本発明を実施する場合、すべての突出部が上記各形態のような先細りの形状でなくてもよい。例えば、複数の突出部の一部が先細りの形状で残りが同一径の形状の形態や、すべての突出部が先細りの形状でない形態で本発明を実施することもできる。
【００１９】
上記各形態の吊り具に設けられた挿入部は軸対称の断面形状を有するが、非軸対称の断面形状、例えば矩形状や多角形状の断面形状を持つ挿入部が設けられた形態で本発明を実施してもよい。突出部についてもこれと同様に非軸対称の断面形状で実施することもできる。
【００２０】
上記各形態は、ストラップの付属品であるフィギュアが吊り具を装着する対象物となっているが、吊り具の用途はストラップに限らない。例えば、キーホルダーに設けられた連結具と何らかの対象物とを吊り具を介して結合する形態で、本発明を実施することもできる。なお、ストラップが結び付けられる対象物に制限はなく携帯型機器でなくてもよい。
【００２１】
なお、頭部の形状は上記各形態では環状であるが、例えば、非環状の矩形状の頭部を備えた形態で本発明を実施することもできる。要するに連結具を取り付け可能なものであればどのような形状の頭部でもよい。
【００２２】
本発明の吊り具は、所定の連結具（例えばストラップの連結具）を取り付け可能な頭部と、前記頭部から延びて、対象物（例えばストラップの付属品であるフィギュア等）に挿入される軸状の挿入部と、前記挿入部の軸線方向と交差する外方に向かって突出する非螺旋状の突出部と、を備えるものである。
【００２３】
この吊り具によれば、挿入部を対象物に圧入して装着することにより、挿入部に設けられた突出部が対象物に食い込んで抵抗となるので、突出部が軸線方向の抜け止めとして機能する。また、突出部は螺旋状ではないため、仮に吊り具が回転しても軸線方向に力が働かずに吊り具が緩んで対象物から外れることがない。
【００２４】
本発明の吊り具の一態様において、前記突出部は、前記挿入部の挿入方向に向かって先細りとなるように傾斜してもよい。この態様によれば、突出部が挿入方向に対して傾斜していない場合と比べて、挿入部を対象物に圧入する際の抵抗が緩和される。このため、挿入部を対象物に圧入しやすくなる。
【００２５】
本発明の吊り具の一態様において、前記突出部は、前記挿入部の周方向に延びて環状となるように形成されてもよい。この態様によれば、突出部が周方向に環状となっているため、対象物に圧入された吊り具が回転を開始する際のトルクが低減する。したがって、吊り具が回転しやすくなり対象物の破損を抑制できる。
【００２６】
本発明の吊り具の一態様において、前記連結具は、ストラップに設けられており、前記対象物は、前記ストラップの付属品であってもよい。付属品付きのストラップの連結具と付属品との結合に吊り具が使用される場合はストラップ使用時に吊り具にトルクが作用しやすい。この態様によれば、吊り具にトルクが作用して回転しても吊り具が付属品から外れることがないので、付属品付きのストラップから付属品が脱落する不具合の発生を抑制できる。
【００２７】
なお、上記の各態様において、環状の突出部の「環状」は、完全に連続した無端状の状態だけでなく、一部が分断されている状態をも意味する。
【符号の説明】
【００２８】
１Ａ、１Ｂ、１Ｃ  吊り具
２、３２  頭部
３  挿入部
４  突出部
１００  ストラップ
１０１  連結具
Ｆ  フィギュア（対象物、付属品）
【図１】
2016168247.tif 000003
【図２】
2016168247.tif 000004
【図３】
2016168247.tif 000005
【図４】
2016168247.tif 000006